(57)【要約】【課題】集塵部用凹所が集塵部用カバーで閉成されているときの掃除機本体の高さを低くできると共に、集塵部用カバーが上方に回動して集塵部用凹所が開かれているときの集塵部用カバーの高さを低くできる電気掃除機を提供すること。【解決手段】電気掃除機は、上方に開放する集塵部用凹所５が前側に設けられた掃除機本体１と、上下回動可能に掃除機本体１に取り付けられ且つその上下回動により集塵部用凹所５の上部開口を開閉する集塵部用カバー３２と、集塵部用凹所５の上部開口を集塵部用カバー３２で閉成したときに集塵部用カバー３２を掃除機本体１にロックするロック手段（係止爪４１）と、掃除機本体１の前側に設けられた前輪（キャスターＣ）と、掃除機本体１の後側両側部に設けられた後輪支持軸１６に回転自在に保持された後輪２１を備えている。また、集塵部用カバー３２の両側部に後輪２１の側部まで延びる支持部（脚部３５）が設けられ、支持部（脚部３５）が後輪支持軸１６に回動可能に軸支されている。【選択図】図１
2008043365.tif 000002
【特許請求の範囲】
【請求項１】
上方に開放する集塵部用凹所が前側に設けられた掃除機本体と、上下回動可能に前記掃除機本体に取り付けられ且つその上下回動により前記集塵部用凹所の上部開口を開閉する集塵部用カバーと、前記集塵部用凹所の上部開口を前記集塵部用カバーで閉成したときに前記集塵部用カバーを前記掃除機本体にロックするロック手段と、前記掃除機本体の前側に設けられた前輪と、前記掃除機本体の後側両側部に設けられた後輪支持軸に回転自在に保持された後輪を備える電気掃除機において、
前記集塵部用カバーに前記後輪の側部まで延びる支持部が設けられ、前記支持部が前記後輪支持軸に回動可能に軸支されていることを特徴とする電気掃除機。
【請求項２】
請求項１に記載の電気掃除機において、前記集塵部用カバーは、前記後輪支持軸と前記支持部との間に設けられたトーションバネ又はゼンマイで上方に開く方向に回動付勢されていることを特徴とする電気掃除機。
【発明の詳細な説明】
【技術分野】
【０００１】
この発明は、掃除機本体の前側に設けられた上方に開放する集塵部用凹所を上下に回動する集塵部用カバーで開閉するようにした電気掃除機に関するものである。
【背景技術】
【０００２】
従来の電気掃除機には、掃除機本体の前側に上方に開放する集塵部用凹所が設けられ、この集塵部用凹所を覆う集塵部用カバーが後縁部を中心に上下回動可能に掃除機本体に取り付けられて、この集塵部用カバーの上下回動により集塵部用凹所が開閉されるようになっていると共に、掃除機本体の前側下面に前輪が設けられ、掃除機本体の後側両側部に後輪が設けられたキャニスタータイプのものが知られている（例えば、特許文献１参照）。
【特許文献１】特開２００４−３３７４９６号公報
【発明の開示】
【発明が解決しようとする課題】
【０００３】
しかしながら、集塵部用カバーは集塵部用凹所の後方に位置させて掃除機本体の上壁部にヒンジ機構を介して取り付けられていたため、ヒンジ機構を設けている分だけ掃除機本体の高さが高くなるものであった。しかも、この構造のために、集塵部用カバーは上方に開いたときの高さが高くなるものであった。
【０００４】
このような電気掃除機においては、集塵部用凹所が集塵部用カバーで閉成されているときの掃除機本体の高さが低くなると共に、集塵部用カバーが上方に回動して集塵部用凹所が開かれているときの集塵部用カバーの高さを低くできるのが望ましい。
【０００５】
そこで、この発明は、集塵部用凹所が集塵部用カバーで閉成されているときの掃除機本体の高さを低くできると共に、集塵部用カバーが上方に回動して集塵部用凹所が開かれているときの集塵部用カバーの高さを低くできる電気掃除機を提供することを目的とするものである。
【課題を解決するための手段】
【０００６】
この目的を達成するため、この発明は、上方に開放する集塵部用凹所が前側に設けられた掃除機本体と、上下回動可能に前記掃除機本体に取り付けられ且つその上下回動により前記集塵部用凹所の上部開口を開閉する集塵部用カバーと、前記集塵部用凹所の上部開口を前記集塵部用カバーで閉成したときに前記集塵部用カバーを前記掃除機本体にロックするロック手段と、前記掃除機本体の前側に設けられた前輪と、前記掃除機本体の後側両側部に設けられた後輪支持軸に回転自在に保持された後輪を備える電気掃除機において、前記集塵部用カバーに前記後輪の側部まで延びる支持部が設けられ、前記支持部が前記後輪支持軸に回動可能に軸支されている電気掃除機としたことを特徴とする。
【発明の効果】
【０００７】
この構成によれば、集塵部用凹所が集塵部用カバーで閉成されているときの掃除機本体の高さを低くできると共に、集塵部用カバーが上方に回動して集塵部用凹所開かれているときの集塵部用カバーの高さを低くできる。
【発明を実施するための最良の形態】
【０００８】
以下、この発明の実施の形態を図面に基づいて説明する。
[構成]
図１〜図４において、１は電気掃除機の掃除機本体、２は掃除機本体の本体ケースである。この本体ケース２は、下ケース３と、この下ケース３の後部上に着脱可能に取り付けられた後部上ケース４を有する。
【０００９】
そして、この下ケース３の前側には図５に示したように上方に開口する集塵部用凹所５が形成され、図１，図５に示したように下ケース３の前端部にはホース接続口３ａが形成されている。尚、ホース接続口３ａは下ケース３の前壁３ｂの前面に開口している。また、Ｈは、後部上ケース４の前部に設けられた持ち運び用のハンドルで、上下動できるようになっている。
【００１０】
このホース接続口３ａには、図１に示したように、集塵ホース６の一端部に一体に設けた接続筒６ａが着脱可能に接続されている。また、集塵ホース６の他端部には手元操作パイプ７が一体に設けられ、手元操作パイプ７には延長パイプ８を介して吸込口体９が接続されている。この吸込口体９内には、底面に開口し且つ延長パイプ７に連通する吸込室（図示せず）が設けられている。尚、手元操作パイプ７には、後述する電動送風機１４をオン（動作）・オフ（停止）させる操作パネル部７ａが設けられている。
（集塵ユニット）
また、集塵部用凹所５内には、図５に示した集塵ユニット１０が配設されている。この集塵ユニット１０は、集塵部用凹所５内に着脱可能に装着された塵埃分離ユニット１１と、この塵埃分離ユニット１１に着脱自在に装着された集塵容器１２とを備えている。この集塵容器１２内には集塵部としての集塵室（図示せず）が設けられている。
【００１１】
更に、塵埃分離ユニット１１は、図示しない塵埃分離部（慣性分離部）と、この塵埃分離部と一体となっている細塵フィルタ部１３とを備えている。この塵埃分離部（図示せず）は、一端が集塵ホース６に連通していると共に、他端が集塵容器１２の集塵室（図示せず）の一端に連通している。
【００１２】
しかも、塵埃分離部には図示しない第１の一次フィルタ（ネットフィルタ）が設けられ、集塵容器１２の集塵室（図示せず）の他端には図示しない第２の一次フィルタ（ネットフィルタ）が設けられている。そして、塵埃分離部は第１の一次フィルタ（図示せず）を介して細塵フィルタ部１３内に連通し、集塵容器１２の集塵室（図示せず）は図示しない第２の一次フィルタ（ネットフィルタ）を介して細塵フィルタ部１３内に連通している。
【００１３】
更に、図１に示したように、本体ケース２の後部内には電動送風機１４が配設されている。この電動送風機１４は、その動作時に空気を吸込開口１４ａから吸い込んで吸込負圧を発生させる。この吸込負圧は、細塵フィルタ部１３内の図示しないプリーツフィルタ（細塵フィルタ）及び第１の一次フィルタ（図示せず）を介して塵埃分離部（図示せず）に作用すると共に、細塵フィルタ部１３内の図示しないプリーツフィルタ（細塵フィルタ）及び第２の一次フィルタ（図示せず）を介して集塵容器１２の集塵室（図示せず）に作用するようになっている。
【００１４】
このような構成により、電動送風機１４からの吸込負圧が塵埃分離部（図示せず）及び集塵容器１２に作用すると、この吸込負圧により塵埃分離部には集塵ホース６から空気と共に塵埃が吸い込まれるようになっている。
【００１５】
しかも、この塵埃分離部（図示せず）では、吸い込まれる空気の大半が第１の一次フィルタ（図示せず）を介して細塵フィルタ部１３内へ吸い込まれる一方、塵埃が吸い込まれるときの流れの慣性により空気から分離されて集塵容器１２内の集塵室（図示せず）へ導かれ捕集されるようになっている。尚、集塵室（図示せず）へ流れる一部の空気は第２の一次フィルタ（図示せず）を介して細塵フィルタ部１３内へ吸い込まれる。
（後輪ユニット等）
また、本体ケース２の前端部の下面には図３に示したようにキャスターＣが前輪として取り付けられている。更に、本体ケース２の後部側の側部には、図７，図９に示したように下部に位置させて凹部１５が形成されている。しかも、この凹部１５内には、側方に突出する後輪支持軸１６と、この後輪支持軸１６の下方に位置させて円筒状突部１７が一体に設けられている。１６ａは、後輪支持軸１６に形成された雌ネジ部である。
【００１６】
また、図９に示したように凹部１５に対応して後輪ユニット１８が配設されている。この後輪ユニット１８は、固定ブラケット１９と、可動ブラケット２０と、後輪２１を有する。
【００１７】
この固定ブラケット１９の下部には、図８，図９に示したように凹部１５の下部側に嵌合された平板状部２２が形成されている。この平板上部２２には、円筒状突部１７に対応する貫通穴２３が形成されている。この貫通穴２３には、円筒状突部１７が嵌合されている。
【００１８】
また、固定ブラケット１９の上端部には、平板状部２２と一体に設けられた内筒２４と外筒２５が設けられている。この内筒２４と外筒２５は内外二重で且つ同心円状に形成されている。しかも、内筒２４内には後輪支持軸１６が嵌合挿通されている。また、外筒２５は図９に示したように後輪２１の中央の貫通穴２１ａに回転自在に嵌合されている。１９ａは、内筒２４と外筒２５との間の壁部である。
【００１９】
更に、可動ブラケット２０は、図５，図９に示した円形カバー部２６と、この円形カバー部２６の周縁に沿って一体に設けられた切円状フランジ（切円状筒部）２７を有する。この切円状フランジ２７の内側には、図９に示したように外筒２５の先端部外周が回転自在に嵌合している。尚、円形カバー部２６の中央には軸挿通孔２６ａが形成されている。
【００２０】
また、図９に示したようにこの切円状フランジ２７の切欠２７ａの部分から半径方向に突出するアーム部２８を有する。このアーム部２８には、バネ係止部２９が設けられている。
【００２１】
更に、円形カバー部２６の中央部には、切円状フランジ２７と同方向に突出する筒部３０が一体に設けられている。この筒部３０には内筒２４が回転自在に嵌合されている。
【００２２】
この筒部３０と上述した壁部１９ａとの間には、可動ブラケット２０が軸線回りに所定角度の範囲で回動可能にする回動規制手段（図示せず）が設けられている。この回動規制手段としては、筒部３０と壁部１９ａとに所定角度回動したときに互いに係合する複数の突部を設けた構成としても良いし、壁部１９ａに内筒２４と同心の円弧状の溝を設けて、この円弧状溝に係合する突部を筒部３０に設けた構成としても良い。
【００２３】
また、筒部３０の外周にはネジリコイルバネ（トーションバネ）３１が回動付勢手段として捲回されている。このネジリコイルバネ３１の一端部３１ａは固定ブラケット１９の壁部１９ａに設けた係止穴１９ｂに係止され、ネジリコイルバネ３１の他端部３１ｂは可動ブラケット２０のアーム部２８に設けたバネ係止部２９に係止されている。このネジリコイルバネ３１は、アーム部２８が後方に回動する方向に可動ブラケット２０を回動付勢している。
【００２４】
このような構成の後輪ユニット１８は、掃除機本体１の後部側の両側に設けられている。
（集塵部用カバー）
また、図５の集塵部用凹所５は、上部開口が図１に示した集塵部用カバー３２で閉成されている。この集塵部用カバー３２は、ハンドルＨの前側に設けられ且つ集塵部用凹所５の上方に配設された上カバー部３３と、この上カバー部３３の周縁に下方に向けて連設された側部カバー部３４を有する。
【００２５】
この側部カバー部３４は、掃除機本体１の両側の側壁部３４ａ，３４ａと、側壁部３４ａ，３４ａの後縁部を連設する円弧状の後壁部３４ｂを有する。また、側壁部３４ａ，３４ａの前端部間には切欠３４ｃが形成されている。更に、側部カバー３４は、下方に向かうに従って外方に広がるように形成されている。
【００２６】
また、この側部カバー３４の側壁部３４ａ，３４ａには図２，図３に示したように後輪２１，２１の側方まで延びる脚部３５，３５が一体に形成されている。この脚部３５は、図１に示したように側壁部３４ａの前後方向の中間部から後斜め下方に延設されている。そして、脚部３５の下端部は後輪２１の周縁部近傍の部分まで覆う形状に形成されている。
【００２７】
この脚部３５には、図９に示したように、可動ブラケット２０が嵌合する係合凹部３６が形成されている。この係合凹部３６は、可動ブラケット２０の形状に形成されている。これにより、脚部３５は可動ブラケット２０と一体に後輪支持軸１６の軸線回りに回動可能となっている。
【００２８】
また、脚部３５の下端部には、後輪支持軸１６と同心の円形凹部３７が形成されていると共に、円形凹部３７の中央部にこれと同心の軸挿通孔３８が形成されている。そして、後輪支持軸１６の先端部は可動ブラケット２０の円形カバー部２６に設けた軸挿通孔２６ａ及び軸挿通孔３８に挿通され、円形凹部３７には円形の抜止め板３９が嵌合されている。
【００２９】
しかも、この抜止め板３９は、これを貫通し且つ後輪支持軸１６の雌ネジ穴１６ａに螺着された固定ネジ４０で、後輪支持軸１６に固定されている。これにより後輪ユニット１８及び脚部３５は側方に抜け外れ不能に後輪支持軸１６に保持されている。尚、脚部３５は後輪支持軸１６及び抜止め板３９に対して後輪支持軸１６の軸線回りに相対回転可能に設けられている。
（カバークランプ手段）
掃除機本体１の下ケース３の前端上部には図６に示したクランプ爪４１が図６Ａの支持軸４１ａを介して前後回動可能に取り付けられている。このクランプ爪４１は上方に向けて延設され、このクランプ爪４１の上端部には後方に向けて突出する爪部４１ｂが設けられている。尚、４１ｃは爪部４１ｂの上部に設けた傾斜ガイド部である。
【００３０】
しかも、このクランプ爪４１は図示しないスプリングで矢印Ａ０で示した後方に向けて回動付勢されている。このクランプ爪４１の下端部には前方に向けて延設されたクランプ解除レバー４２が一体に設けられている。このクランプ爪４１は、クランプ解除レバー４２に固定された爪カバー４３により覆われている。このクランプ解除レバー４２の前端部及び爪カバー４３の前端部は、下ケース３の前壁３ｂに後方に設けたフランジ部３ｂ１により覆われている。
【００３１】
また、集塵部用カバー３２の前端部には、図６Ａに示したように被係止爪４４が支持軸４４ａを介して所定範囲内で前後回動するように取り付けられている。この被係止爪４４は図示しないスプリングで矢印Ａ６で示した前側に回動するようになっている。そして、集塵部用カバー３２が図５の集塵部用凹所５を覆っている状態では、被係止爪４４がクランプ爪４１の爪部４１ｂに係止されている。
[作用]
次に、このような構成の作用を説明する。
【００３２】
このような構成においては、集塵部用カバー３２が図５の集塵部用凹所５を図１の如く覆っていると共に、被係止爪４４がクランプ爪４１の爪部４１ｂに係止している状態において、爪カバー４３を介して図６Ａのクランプ解除レバー４２を矢印Ａ１で示した下方に押し下げると、クランプ解除レバー４２が支持軸４１ａを中心に下方に回動して、クランプ爪４１が矢印Ａ２で示したように前側に回動して、被係止爪４４が係止爪４１の爪部４１ｂから外れ、集塵部用カバー３２の係止が解除される。
【００３３】
この係止の解除により、集塵部用カバー３２は、図９の後輪ユニット１８に設けたネジリコイルバネ３１により図４の二点鎖線の位置まで矢印Ａ３で示したように上方且つ後方に回動させられて、停止する。この位置では、図５に示した集塵部用凹所５が大きく開かれ、集塵部用凹所５内に配設した集塵容器１２等の着脱を行うことができる。
【００３４】
また、集塵部用凹所５の上部開口端を閉成するには、集塵部用カバー３２を後輪ユニット１８に設けたネジリコイルバネ３１のバネ力に抗して図５の矢印Ａ４で示したように実線の位置まで回動させる。この際、図６Ａの集塵部用カバー３２の被係止爪４４は、クランプ爪４１の傾斜ガイド部４１ｃにガイドされて矢印Ａ５で示したように図示しないスプリングのバネ力に抗して後方に回動させられた後、爪部４１ｂを乗り越える。この後、被係止爪４４は図示しないスプリングのバネ力により前側に矢印Ａ６で示したように前側に回動して、係止爪４１の爪部４１ｂに係止され、集塵部用カバー３２のクランプが終了する。
【００３５】
以上説明したように、この発明の実施の形態の電気掃除機は、上方に開放する集塵部用凹所５が前側に設けられた掃除機本体１と、上下回動可能に前記掃除機本体１に取り付けられ且つその上下回動により前記集塵部用凹所５の上部開口を開閉する集塵部用カバー３２と、前記集塵部用凹所５の上部開口を前記集塵部用カバー３２で閉成したときに前記集塵部用カバー３２を前記掃除機本体１にロックするロック手段（係止爪４１）と、前記掃除機本体１の前側に設けられた前輪（キャスターＣ）と、前記掃除機本体１の後側両側部に設けられた後輪支持軸１６に回転自在に保持された後輪２１を備えている。また、前記集塵部用カバー３２の両側部に前記後輪２１の側部まで延びる支持部（脚部３５）が設けられ、前記支持部（脚部３５）が前記後輪支持軸１６に回動可能に軸支されている。
【００３６】
この構成によれば、集塵部用凹所５が集塵部用カバー３２で閉成されているときの掃除機本体１の高さを低くできると共に、集塵部用カバー３２が上方に回動して集塵部用凹所５が開かれているときの集塵部用カバー３２の高さを低くできる。
【００３７】
なお、上述した実施例では、集塵部用カバー３２の左右に設けた一対の脚部３５，３５を集塵部用カバー３２の支持部としたが、必ずしもこれに限定されるものではない。例えば、掃除機本体１の後面を覆う後カバー部を設けて、この後カバー部を左右の後輪２１，２１の側部まで延設した構成とすると共に、この後カバー部の側部を後輪２１の後輪支持軸１６に支持させる支持部としても良い。
【００３８】
また、この発明の実施の形態の電気掃除機において、前記集塵部用カバー３２は、前記後輪支持軸１６と前記支持部（脚部３５）との間に設けられたトーションバネ（ネジリコイルバネ３１）又はゼンマイで上方に開く方向に回動付勢されている。
【００３９】
この構成によれば、他の付勢手段を用いるのに比べて、後輪支持軸１６の長さ分のスペースさえあればトーションバネ（ネジリコイルバネ３１）を配置するのに足りるため省スペース化が可能となると共に、掃除機本体１と支持部（脚部３５）との間の後輪用のスペースを利用して配置しているので、大きなバネ力のトーションバネを設けるスペースを容易に確保することができる。なお、トーションバネ（ネジリコイルバネ３１）に代えてゼンマイを配置しても、同様の効果を得ることができる。また、集塵部カバー３２を上方に回動させる付勢手段は、トーションバネ（ネジリコイルバネ３１）やゼンマイに限られるわけではないが、上述のような効果を得られる点において、トーションバネ（ネジリコイルバネ３１）やゼンマイを採用することは好ましい。
【００４０】
また、トーションバネ（ネジリコイルバネ３１）やゼンマイに代えて板バネ等を用いることもできる。この場合には、後輪支持軸又は掃除機本体１に板バネの一端部を固定し、この板バネの他端部を支持部に固定した構造とすることができる。
【図面の簡単な説明】
【００４１】
【図１】この発明に係る電気掃除機の概略斜視図である。
【図２】図１に示した掃除機本体の平面図である。
【図３】図１に示した掃除機本体の正面図である。
【図４】図１に示した掃除機本体の側面図である。
【図５】図１に示した掃除機本体の集塵部用カバーを取り外した状態の説明図である。
【図６】図２のＢ１−Ｂ１線に沿う断面における概略説明図である。
【図６Ａ】図６の係止爪と被係止爪との関係を示す概略説明図である。
【図７】図１の掃除機本体に設けられた後輪支持軸を示す要部拡大説明図である。
【図８】図７の掃除機本体に後輪ユニットを設けた要部拡大説明図である。
【図９】図１のＢ２−Ｂ２線に沿う断面図である。
【符号の説明】
【００４２】
１・・・掃除機本体
５・・・集塵部用凹所
１６・・・後輪支持軸
２１・・・後輪
３１・・・ネジリコイルバネ（トーションバネ）
３２・・・集塵部用カバー
３５・・・脚部（支持部）
４１・・・係止爪（クランプ手段、ロック手段）
Ｃ・・・キャスター（前輪）
【図１】
2008043365.tif 000003
【図２】
2008043365.tif 000004
【図３】
2008043365.tif 000005
【図４】
2008043365.tif 000006
【図５】
2008043365.tif 000007
【図６】
2008043365.tif 000008
【図６Ａ】
2008043365.tif 000009
【図７】
2008043365.tif 000010
【図８】
2008043365.tif 000011
【図９】
2008043365.tif 000012